(57)【特許請求の範囲】
【請求項１】
搬送される原稿の画像を読み取り、順次搬送される複数の記録紙に記録する装置において、読取位置の搬送上流側で原稿の有無を検出する第１手段と、記録位置での記録紙の終端を検出する第２手段と、該第２手段が記録紙の終端を検出したときに前記第１手段が原稿を検出した場合、次の記録紙を記録位置へ搬送する手段とを備えることを特徴とする画像読取・記録装置。
【請求項２】
搬送される原稿の画像を読み取り、順次搬送される複数の記録紙に記録する装置において、読取位置の搬送上流側で原稿の有無を検出する第１手段と、記録位置での記録紙の終端を検出する第２手段と、該第２手段が終端を検出した時点が前記第１手段で原稿を検出しなくなった時点から所定時間内である場合、次の記録紙を記録位置へ搬送する手段とを備えることを特徴とする画像読取・記録装置。
【請求項３】
前記第２手段は、記録位置の搬送上流側に位置して記録紙の終端を検出する第１センサと、記録紙の搬送量を測定する第２センサとを有し、前記第１センサが記録紙の終端を検出したタイミングからの前記第２センサの測定結果が所定値に達することにより、記録位置での記録紙の終端を検出するように構成した請求項１または２記載の画像読取・記録装置。
【発明の詳細な説明】
【０００１】
【発明の属する技術分野】
本発明は、原稿の画像を読み取り、読み取った画像を記録紙に記録する画像読取・記録装置に関する。
【０００２】
【従来の技術】
ファクシミリ装置，コピー機等の画像読取・記録装置では、読取対象の原稿はＡＤＦ（Auto Document Feeder）機構にて１枚ずつ自動的に読取位置に送られて、画像が読み取られ、一方、画像を記録する記録紙も１枚ずつ自動的に記録位置に送られて、読み取られた画像が記録され、画像記録された記録紙が排出される。このような原稿及び記録紙の搬送を自動的に行うために、原稿の搬送路，記録紙の搬送路にはそれぞれ原稿，記録紙を検出する複数のセンサが設けられている。以下、このセンサの作用を中心にして、原稿，記録紙の搬送動作について簡単に説明する。
【０００３】
原稿の搬送路には、読取位置より手前（搬送方向上流側）に２種類のセンサ（第１原稿センサと第２原稿センサ）が設けられている。第１原稿センサは、原稿の幅方向に設けた２個１組のセンサにて構成されていて、１または複数の原稿を載置する位置近傍に設けられており、読取対象の原稿の有無とサイズ（例えばＡ４幅かＢ４幅か等）とを検出する。一方、第２原稿センサは、第１原稿センサの設置位置と読取位置との間に設けられており、搬送される原稿の始端，終端を検出する。
【０００４】
載置された原稿の存在とそのサイズとが第１原稿センサにて検出された後、原稿の繰り込み指令が発せられると、原稿を１枚ずつ分離するためのセパレートローラが回転して、原稿が１枚だけ搬送路に繰り込まれる。そして、搬送が開始された原稿の始端が第２原稿センサにて検出され、第２原稿センサがオンとなる。第２原稿センサの設置位置と読取位置との距離は予め分かっているので、その原稿始端検出タイミングから所定量だけ原稿が搬送された時点で原稿が読取位置に到達することになり、その到達タイミングにて画像の読取処理が開始される。その後、第２原稿センサにて原稿の終端が検出されて、第２原稿センサがオフとなり、その原稿終端検出タイミングから所定の原稿の搬送量分だけ読取処理が継続されると、１枚の原稿の読取処理が終了となる。
【０００５】
記録紙の搬送路には、記録位置より手前（搬送方向上流側）に２種類のセンサ（第１記録紙センサと第２記録紙センサ）が設けられ、記録位置より後ろ（搬送方向下流側）に１種類のセンサ（第３記録紙センサ）が設けられている。第１記録紙センサは、記録紙の収納位置近傍に設けられており、記録対象の記録紙の有無を検出する。第２記録紙センサは、第１記録紙センサの設置位置と記録位置との間に設けられており、搬送される記録紙の始端，終端を検出する。排出側に設けられる第３記録紙センサは、排出される記録紙の有無を検出する。
【０００６】
積み重ねられた記録紙の存在が第１記録紙センサにて検出された後、記録紙の繰り込み指令が発せられると、１枚の記録紙が搬送路に繰り込まれる。そして、搬送が開始された記録紙の始端が第２記録紙センサにて検出され、第２記録紙センサがオンとなる。第２記録紙センサの設置位置と記録位置との距離は予め分かっているので、その記録紙始端検出タイミングから所定量だけ記録紙が搬送された時点で記録紙が記録位置に到達することになり、その到達タイミングにて読取画像の記録処理が開始される。その後、第２記録紙センサにて記録紙の終端が検出されて、第２記録紙センサがオフとなり、その記録紙終端検出タイミングから所定の記録紙の搬送量分だけ記録処理が継続されると、１枚の記録紙に対する記録処理が終了となる。そして、記録紙が排出されたことが第３記録紙センサで検出される。なお、記録紙の送り量は記録紙用カウンタにて計数される。
【０００７】
以上のような自動搬送系により、任意のサイズの複数枚の原稿の画像が１枚ずつ読み取られ、読み取られた各原稿の画像がそれぞれ１枚の記録紙に記録され、記録済の紙が排出される。
【０００８】
【発明が解決しようとする課題】
ところで、１枚の原稿の画像を読み取った際に、その読み取った画像が長さ方向に記録紙の定型サイズ（Ａ４サイズ，Ｂ４サイズ等）を超えている場合がある。このような場合、読み取った画像データを画像メモリに格納するように構成された画像読取・記録装置では、その画像データの長さを判別できるので、その長さに応じて、読取画像を２枚の記録紙に分けて記録する、読取画像を縮小して１枚の記録紙に記録する、読取画像の縮小は行わずに超えた部分は捨てて１枚の記録紙に入る部分のみを記録する等の記録処理を自由に選択することが可能である。
【０００９】
しかしながら、読み取った画像データを格納する画像メモリを有していない画像読取・記録装置にあっては、画像データの長さを判別できないので、定型サイズより長い原稿を読み取った場合に適切な記録処理を行えないという問題がある。
【００１０】
本発明は斯かる事情に鑑みてなされたものであり、画像メモリを使用しない構成であっても、定型サイズより長い原稿を読み取った場合に記録紙に対する適切な記録処理を行える画像読取・記録装置を提供することを目的とする。
【００１１】
本発明の他の目的は、原稿及び記録紙の自動搬送系に設けられている既存のセンサを用いるだけで、新たなセンサを設けることなく、定型サイズより長い原稿に適切な対応を行える画像読取・記録装置を提供することにある。
【００１２】
【課題を解決するための手段】
請求項１に係る画像読取・記録装置は、搬送される原稿の画像を読み取り、順次搬送される複数の記録紙に記録する装置において、読取位置の搬送上流側で原稿の有無を検出する第１手段と、記録位置での記録紙の終端を検出する第２手段と、該第２手段が記録紙の終端を検出したときに前記第１手段が原稿を検出した場合、次の記録紙を記録位置へ搬送する手段とを備えることを特徴とする。
【００１３】
請求項２に係る画像読取・記録装置は、搬送される原稿の画像を読み取り、順次搬送される複数の記録紙に記録する装置において、読取位置の搬送上流側で原稿の有無を検出する第１手段と、記録位置での記録紙の終端を検出する第２手段と、該第２手段が終端を検出した時点が前記第１手段で原稿を検出しなくなった時点から所定時間内である場合、次の記録紙を記録位置へ搬送する手段とを備えることを特徴とする。
【００１４】
請求項３に係る画像読取・記録装置は、請求項１または２において、前記第２手段は、記録位置の搬送上流側に位置して記録紙の終端を検出する第１センサと、記録紙の搬送量を測定する第２センサとを有し、前記第１センサが記録紙の終端を検出したタイミングからの前記第２センサの測定結果が所定値に達することにより、記録位置での記録紙の終端を検出するように構成したことを特徴とする。
【００１５】
第１発明（請求項１）の画像読取・記録装置では、第２手段（第２記録紙センサ及び記録紙用カウンタ）にて記録位置において記録紙の終端を検出した際に、読取位置の手前に位置した第１手段（第２原稿センサ）にて原稿の存在を検出した場合、即ち、原稿の終端を未だ検出しない（第２原稿センサがオンである）場合、原稿の画像が所定サイズの記録紙より長くて１枚の記録紙に記録しきれないと判断できるので、所定サイズを超えた画像を記録できるように次の記録紙を記録位置に搬送する。
【００１６】
第２発明（請求項２）の画像読取・記録装置では、第２手段（第２記録紙センサ及び記録紙用カウンタ）にて記録位置において記録紙の終端を検出したタイミングが、読取位置の手前に位置した第１手段（第２原稿センサ）にて原稿の存在を検出しなくなった時点、即ち、原稿の終端を検出した（第２原稿センサがオフとなった）時点から、所定時間以上経過していない場合、原稿の画像が所定サイズの記録紙より長くて１枚の記録紙に記録しきれないと判断できるので、所定サイズを超えた画像を記録できるように次の記録紙を記録位置に搬送する。
【００１７】
以上のような制御を行うことにより、第１発明，第２発明共に、所定サイズからはみ出すような画像を読み取った場合にあっても、そのはみ出した部分を次の記録紙に記録するようにしたので、読み取られた画像が捨てられることなく確実に記録され、その結果、画像メモリを備えない構成であっても、既存のセンサを使用するだけで、定型サイズを超える原稿についても適切な記録処理を施すことが可能となる。
【００１８】
【発明の実施の形態】
以下、本発明をその実施の形態を示す図面に基づいて具体的に説明する。
【００１９】
図１は、本発明の画像読取・記録装置を示す模式図である。図において１は読取対象の原稿Ｄを搬送するための原稿搬送系を、２は読み取られた画像を記録する記録紙Ｐを搬送するための記録紙搬送系をそれぞれ示す。
【００２０】
原稿搬送系１には、１または複数の読取対象の原稿Ｄを載置する載置板11と、原稿Ｄを１枚ずつ分離するためのセパレートローラ12と、分離された原稿Ｄを搬送するための搬送ローラ13と、搬送された原稿Ｄの画像を読み取る読取部14とが設けられている。また、読取部14の設置位置である読取位置より手前（搬送方向上流側）に第１原稿センサ15と第２原稿センサ16とが設けられている。第１原稿センサ15は、原稿Ｄの幅方向に設けた２個１組のセンサにて構成されていて、載置板11の近傍に設けられており、原稿Ｄの有無とサイズ（例えばＡ４幅かＢ４幅か等）とを検出する。一方、第２原稿センサ16は、第１原稿センサ15の設置位置と読取位置との間に設けられており、搬送される原稿Ｄの始端，終端を検出する。なお、第２原稿センサ16が特許請求の範囲の第１手段に該当する。
【００２１】
記録紙搬送系２には、記録紙Ｐを収納する収納器20と、記録紙Ｐを収納器20から１枚ずつ送給するためのピックアップローラ21と、送給された記録紙Ｐを搬送するための搬送ローラ22と、搬送された記録紙Ｐに読み取られた画像を記録する記録部23とが設けられている。また、記録部23の設置位置である記録位置より手前（搬送方向上流側）に第１記録紙センサ24と第２記録紙センサ25とが設けられ、記録位置より後ろ（搬送方向下流側）に第３記録紙センサ26が設けられている。第１記録紙センサ24は、記録紙Ｐの収納位置近傍に設けられており、記録紙Ｐの有無を検出する。第２記録紙センサ25は、第１記録紙センサ24の設置位置と記録位置との間に設けられており、搬送される記録紙Ｐの始端，終端を検出する。第３記録紙センサ26は、排出側に設けられており、記録済みの記録紙Ｐの有無を検出する。更に、記録紙Ｐの送り量を計数するカウンタ27が設けられている。なお、第２記録紙センサ25，カウンタ27が特許請求の範囲の第１センサ，第２センサにそれぞれ該当し、これらの第２記録紙センサ25及びカウンタ27にて特許請求の範囲の第２手段が構成される。
【００２２】
また、３は原稿Ｄ及び記録紙Ｐの搬送動作，画像の読取処理，読取画像の記録処理等を制御するＣＰＵであり、ＣＰＵ３には、上述の第１原稿センサ15，第２原稿センサ16，第１記録紙センサ24，第２記録紙センサ25，第３記録紙センサ26及びカウンタ27が接続されており、これらの各センサでの検出結果とカウンタ27での計数結果とが入力される。また、ＣＰＵ３は、第２原稿センサ16が原稿Ｄの終端を検出した後のライン数を計数ためのカウンタ31を有する。ＣＰＵ３は、原稿Ｄ，記録紙Ｐの搬送用のモータ（図示せず）、読取部14、記録部23を制御する。
【００２３】
次に、原稿Ｄ及び記録紙Ｐの搬送動作と、読取処理及び記録処理とについて説明する。載置板11に載置された原稿Ｄの存在とそのサイズとが第１原稿センサ15にて検出された後、原稿Ｄの繰り込み指令が発せられると、１枚の原稿Ｄがセパレートローラ12の回転により分離されて、搬送路に繰り込まれる。そして、搬送が開始された原稿Ｄの始端が第２原稿センサ16にて検出され、第２原稿センサ16がオンとなる。第２原稿センサ16の設置位置と読取位置（読取部14の設置位置）との距離は予め分かっているので、その原稿始端検出タイミングから所定量だけ原稿Ｄが搬送された時点で原稿Ｄが読取位置（読取部14上方）に到達することになり、その到達タイミングにて画像の読取処理が読取部14により開始される。その後、第２原稿センサ16にて原稿Ｄの終端が検出されて、第２原稿センサ16がオフとなる。その原稿終端検出タイミングから所定の原稿Ｄの搬送量分だけ読取処理が読取部14にて継続されると、１枚の原稿Ｄの読取処理が終了となる。
【００２４】
収納器20に積み重ねられた記録紙Ｐの存在が第１記録紙センサ24にて検出された後、記録紙Ｐの繰り込み指令が発せられると、１枚の記録紙Ｐがピックアップローラ21の回転により搬送路に繰り込まれる。そして、搬送が開始された記録紙Ｐの始端が第２記録紙センサ25にて検出され、第２記録紙センサ25がオンとなる。第２記録紙センサ25の設置位置と記録位置（記録部23の設置位置）との距離は予め分かっているので、その記録紙始端検出タイミングから所定量だけ記録紙Ｐが搬送された時点で記録紙Ｐが記録位置（記録部23の上方）に到達することになり、その到達タイミングにて読取画像の記録処理が記録部23により開始される。その後、第２記録紙センサ25にて記録紙Ｐの終端が検出されて、第２記録紙センサ25がオフとなる。その記録紙終端検出タイミングから所定の記録紙Ｐの搬送量分だけ記録処理が記録部23にて継続されると、１枚の記録紙Ｐに対する記録処理が終了となる。そして、記録紙Ｐが排出されたことが第３記録紙センサ26で検出される。記録紙Ｐの送り量はカウンタ27にて計数される。
【００２５】
以上のような自動搬送系により、任意のサイズの複数枚の原稿Ｄの画像が１枚ずつ読み取られ、読み取られた各原稿の画像がそれぞれ１枚の記録紙Ｐに記録され、記録済の紙が排出される。
【００２６】
次に、原稿Ｄの読み取った画像が長さ方向に記録紙Ｐのサイズを超えている場合に、適切な記録処理を行えるようにした本発明の特徴部分の動作について、その処理手順を示す図２のフローチャートを参照して説明する。なお、図３（ａ）は、原稿搬送系１における第１原稿センサ15，第２原稿センサ16及び読取位置の位置関係を示す図であり、図３（ｂ）は、記録紙搬送系２における第１記録紙センサ24，第２記録紙センサ25，第３記録紙センサ26及び記録位置の位置関係を示す図である。
【００２７】
読取対象の原稿Ｄが搬送され始め、その原稿Ｄの始端が検出されて、第２原稿センサ16がオンである状態において、ＣＰＵ３に内蔵されているカウンタ31の計数値Ｘを初期化して０に設定する（ステップＳ１）。この計数値Ｘは、第２原稿センサ16がオフとなってからのライン数の計数値である。そして、原稿Ｄの１ライン分に対する読取処理及び記録処理を実行する（ステップＳ２）。
【００２８】
次に、記録位置において記録紙Ｐの終端を検出したか否かを判断する（ステップＳ３）。具体的には、第２記録紙センサ25がオフとなってからカウンタ27が所定数の送り量を計数した場合には、記録位置に記録紙Ｐの終端が到達したと判断し、そうでない場合には、記録位置に記録紙Ｐの終端が未だに到達していないと判断する。記録位置において記録紙Ｐの終端を検出しない場合には（Ｓ３：NO）、第２原稿センサ16がオンであるか否か、即ち、第２原稿センサ16が原稿Ｄの終端を検出したか否かを判断する（ステップＳ４）。
【００２９】
第２原稿センサ16がオンである場合、即ち、第２原稿センサ16が原稿Ｄの終端を検出していない場合には（Ｓ４：YES)、処理がＳ２に戻って、次の１ライン分に対する読取・記録処理を実行する。一方、第２原稿センサ16がオフである場合、即ち、第２原稿センサ16が原稿Ｄの終端を検出している場合には（Ｓ４：NO）、前記カウンタ31の計数値Ｘを１だけインクリメントした後（ステップＳ５）、処理がＳ２に戻って、次の１ライン分に対する読取・記録処理を実行する。
【００３０】
記録位置において記録紙Ｐの終端を検出した場合、即ち、第２記録紙センサ25がオフとなってからカウンタ27が所定数の送り量を計数した場合には（Ｓ３：YES)、第２原稿センサ16がオンであるか否か、即ち、第２原稿センサ16が原稿Ｄの終端を検出したか否かを判断する（ステップＳ６）。第２原稿センサ16がオンである場合、即ち、第２原稿センサ16が原稿Ｄの終端を検出していない場合には（Ｓ６：YES)、１枚の原稿Ｄの画像が１枚の記録紙Ｐを超えるので、ピックアップローラ21，搬送ローラ23にて次の記録紙Ｐを記録位置まで搬送した後（ステップＳ７）、処理がＳ２に戻って、次の１ライン分に対する読取・記録処理を実行する。
【００３１】
一方、第２原稿センサ16がオフである場合、即ち、第２原稿センサ16が原稿Ｄの終端を検出している場合には（Ｓ６：NO）、前記カウンタ31の計数値Ｘが所定値以下であるか否かを判断する（ステップＳ８）。所定値以下である場合には（Ｓ８：YES)、１枚の原稿Ｄの画像が１枚の記録紙Ｐを所定量以上超えるので、ピックアップローラ21，搬送ローラ23にて次の記録紙Ｐを記録位置まで搬送した後（ステップＳ７）、処理がＳ２に戻って、次の１ライン分に対する読取・記録処理を実行する。一方、計数値Ｘが所定値より大きい場合には（Ｓ８：NO）、１枚の原稿Ｄの画像が１枚の記録紙Ｐ内には収まらないが、超えた部分は僅かであるので、１ページ分の記録処理を終了する。計数値Ｘと比較される所定値は、第２原稿センサ16と読取部14との距離、記録紙Ｐに記録されなくても問題とならない原稿下端の長さに基づいて適宜設定される。
【００３２】
なお、図２に示すフローチャートにおいて、Ｓ３→Ｓ６→Ｓ７の流れが第１発明に該当し、Ｓ３→Ｓ６→Ｓ８→Ｓ７の流れが第２発明に該当する。
【００３３】
【発明の効果】
以上のように、本発明の画像読取・記録装置では、画像メモリを使用しない構成であっても、原稿及び記録紙の自動搬送系に設けられている既存のセンサを用いるだけで、新たなセンサを設ける必要もなく、定型サイズより長い原稿を読み取った場合に適切な記録処理を行うことが可能である。
【図面の簡単な説明】
【図１】本発明の画像読取・記録装置を示す模式図である。
【図２】本発明の画像読取・記録装置における処理手順を示すフローチャートである。
【図３】本発明の画像読取・記録装置での原稿搬送系における第１原稿センサ，第２原稿センサ及び読取位置の位置関係、並びに、記録紙搬送系における第１記録紙センサ，第２記録紙センサ，第３記録紙センサ及び記録位置の位置関係を示す図である。
【符号の説明】
１  原稿搬送系
２  記録紙搬送系
３  ＣＰＵ
14  読取部
15  第１原稿センサ
16  第２原稿センサ
23  記録部
24  第１記録紙センサ
25  第２記録紙センサ
26  第３記録紙センサ
27  カウンタ
【図１】
0003702621.tif 000002
【図２】
0003702621.tif 000003
【図３】
0003702621.tif 000004